(57)【特許請求の範囲】
【請求項１】
被覆ベルトまたはロープであって、
複数のストランドおよび／またはコードを構成する複数のワイヤを備え、前記複数のストランドおよび／またはコードは、
前記ベルトまたはロープの曲げサイクルの関数として第１の電気抵抗の変化を呈する、１つまたは複数の基準ストランドおよび／またはコードと、
前記第１の電気抵抗の変化よりも大きい、前記ベルトまたはロープの曲げサイクルの関数として第２の電気抵抗の変化を呈する、１つまたは複数の監視ストランドおよび／またはコードと、を含み、
前記複数のストランドおよび／またはコードを実質的に保持するジャケットをさらに備え、
前記１つまたは複数の監視ストランドおよび／またはコードは、前記１つまたは複数の基準ストランドおよび／またはコードを構成するワイヤよりも直径が小さいワイヤから構成されており
前記１つまたは複数の監視ストランドおよび／またはコードのうちの１つの監視ストランドおよび／またはコードは、前記１つまたは複数の基準ストランドおよび／またはコードのうちの１つの基準ストランドおよび／またはコードと実質的に同じワイヤ断面積を有する、被覆ベルトまたはロープ。
【請求項２】
前記１つまたは複数の監視ストランドおよび／またはコードのうちの１つの監視ストランドおよび／またはコードは、外側位置に配置される、請求項１に記載のベルトまたはロープ。
【請求項３】
前記ベルトまたはロープは、ベルトであり、前記１つまたは複数の監視コードのうちの１つの監視コードは、前記ベルトの断面の長手方向外側位置に配置される、請求項２に記載のベルトまたはロープ。
【請求項４】
前記１つまたは複数の監視ストランドおよび／またはコードのうちの１つの監視ストランドまたはコードは、中央位置に配置される、請求項１に記載のベルトまたはロープ。
【請求項５】
前記ベルトまたはロープは、ベルトであり、前記１つまたは複数の監視コードのうちの１つの監視コードは、前記ベルトの断面の長手方向中央位置に配置される、請求項４に記載のベルトまたはロープ。
【請求項６】
前記１つまたは複数の監視ストランドおよび／またはコードは、少なくとも２つの監視ストランドまたはコードである、請求項１に記載のベルトまたはロープ。
【請求項７】
前記少なくとも２つの監視ストランドおよび／またはコードのうちの２つの監視ストランドおよび／またはコードは、隣接して配置される、請求項６に記載のベルトまたはロープ。
【請求項８】
前記ベルトまたはロープは、ベルトであり、前記少なくとも２つの監視コードのうちの２つの監視コードは、前記ベルトの断面の長手方向に隣接して配置される、請求項７に記載のベルトまたはロープ。
【請求項９】
エレベータシステムであって、
エレベータかごと
１つまたは複数のシーブと、
摩耗検出ユニットと、
請求項１〜９のうちのいずれか１項に記載のベルトまたはロープであって、前記摩耗検出ユニットに動作可能に接続される、ベルトまたはロープと、を備える、エレベータシステム。
【請求項１０】
前記摩耗検出ユニットは、前記１つまたは複数の監視コードの電気抵抗を測定する、請求項９に記載のエレベータシステム。
【請求項１１】
前記摩耗検出ユニットは、エレベータ昇降路の上端部に配置される、請求項９に記載のエレベータシステム。
【請求項１２】
被覆ベルトまたはロープの摩耗検出の方法であって、
摩耗検出ユニットを被覆ベルトまたはロープの１つまたは複数の監視ストランドおよび／またはコードに接続し、前記ベルトまたはロープは、
前記ベルトまたはロープの曲げサイクルの関数として第１の電気抵抗の変化を呈する、１つまたは複数の基準ストランドおよび／またはコードと、
前記第１の電気抵抗の変化よりも大きい、前記ベルトまたはロープの曲げサイクルの関数として第２の電気抵抗の変化を呈する、前記１つまたは複数の監視ストランドおよび／またはコードと、を含み、
前記１つまたは複数の監視ストランドおよび／またはコードは、前記１つまたは複数の基準ストランドおよび／またはコードを構成するワイヤよりも直径が小さいワイヤから構成されており、
前記摩耗検出ユニットを介して、前記１つまたは複数の監視ストランドおよび／またはコードの電気抵抗を測定し、
前記１つまたは複数の監視ストランドおよび／またはコードの少なくとも前記測定した電気抵抗を使用して、前記ベルトまたはロープの摩耗状態を判定することを含む、方法。
【請求項１３】
前記判定ステップは、前記１つまたは複数の監視ストランドおよび／またはコードの前記電気抵抗の変化を判定することを含む、請求項１２に記載の方法。
【請求項１４】
前記判定ステップは、電気抵抗の増加を判定することを含む、請求項１２に記載の方法。
【請求項１５】
電気抵抗の変化と閾値とを比較し、前記閾値を超えた場合に処置をとることをさらに含む、請求項１２に記載の方法。
【請求項１６】
処置をとることは、警報を発すること、および前記エレベータシステムの動作を停止させること、のうちの１つまたは両方を含む、請求項１５に記載の方法。
【請求項１７】
前記基準ストランドの少なくとも１つの連続性を監視するステップをさらに含む、請求項１２に記載の方法。
【発明の詳細な説明】
【技術分野】
【０００１】
本明細書で開示される主題は、例えばエレベータシステムで使用される、被覆ベルトまたはロープに関する。より具体的には、主題の開示は、エレベータの吊り下げおよび／または駆動に使用される、被覆ベルトまたはロープの摩耗検出（例えば、腐食、フレッチング等）に関する。
【背景技術】
【０００２】
エレベータシステムは、エレベータかごに動作可能に接続され、プーリーとしても知られる１つまたは複数のシーブを通じて経路選定して送られる、ロープまたはベルトを利用して、エレベータかごを昇降路に沿って推進する。具体的には、被覆鋼製ベルトが、ジャケット材料内に少なくとも部分的に位置する複数のワイヤを含む。複数のワイヤは、しばしば、１つまたは複数のストランドを構成し、次いで、該ストランドが１つまたは複数のコードを構成する。例示的なベルト構造では、複数のコードが、一般的に、ジャケット内で長手方向に等間隔に配設される。
【０００３】
通常のエレベータ動作中に、被覆鋼製ベルトは、ベルトがエレベータシステムの駆動シーブおよびデフレクタシーブを通じて進行するにつれて、多数の曲げサイクルを受ける。これらの曲げサイクルは、ワイヤのフレッチングまたは疲労といったメカニズムによって、被覆鋼製ベルト内のワイヤまたはコードの破壊強度の低下を生じさせる。そのような疲労は、被覆鋼製ベルトの寿命の減少に対する主要な要因である。被覆鋼製ベルトの寿命は、計算を通して推定することができるが、被覆鋼製ベルトの残りの寿命のより正確な推定は、しばしば、寿命監視システムを利用することによって得られる。
【発明の概要】
【発明が解決しようとする課題】
【０００４】
１つのそのようなシステムは、抵抗に基づく検査（ＲＢＩ）と呼ばれる。ＲＢＩシステムは、エレベータシステムの固定点でベルトに固設され、ベルトの中の各コードの電気抵抗を監視する。各コードの電気抵抗は、その断面積に比例するので、電気抵抗の変化は、コードのフレッチングの量を示すコードの断面積の減少、および対応する残りの寿命に相関させることができる。しかしながら、いくつかのコード構成は、いくつかの曲げサイクルまたはコードの劣化と相関させることができる、抵抗の顕著で測定可能な変化を呈さない。そのような場合、コードが摩耗するにつれてのコードの電気抵抗の変化の量が小さいため、コードの電気抵抗の変化に基づくベルトの状態の評価は困難である。
【課題を解決するための手段】
【０００５】
本発明の一態様によれば、被覆ベルトまたはロープは、複数のストランドおよび／またはコードを構成する、複数のワイヤを含む。複数のストランドまたはコードは、ベルトまたはロープの曲げサイクルの関数として第１の電気抵抗の変化を呈する、１つまたは複数の基準ストランドおよび／またはコード、ならびに、第１の電気抵抗の変化よりも大きい、ベルトの曲げサイクルの関数として第２の電気抵抗の変化を呈する、１つまたは複数の監視ストランドおよび／またはコードを含む。ジャケットは、実質的に複数のストランドおよび／またはコードを保持する。
【０００６】
あるいは、本発明のこのまたは他の態様において、１つまたは複数の監視ストランドおよび／またはコードの１つの監視ストランドまたはコードは、外側位置に位置する。
【０００７】
あるいは、本発明のこのまたは他の態様において、ベルトまたはロープは、ベルトであり、１つまたは複数の監視コードのうちの１つの監視コードは、ベルトの長手方向外側位置に位置する。
【０００８】
あるいは、本発明のこのまたは他の態様において、１つまたは複数の監視ストランドおよび／またはコードのうちの１つの監視ストランドおよび／またはコードは、中央位置に位置する。
【０００９】
あるいは、本発明のこのまたは他の態様において、ベルトまたはロープは、ベルトであり、１つまたは複数の監視コードのうちの１つの監視コードは、ベルトの長手方向中央位置に位置する。
【００１０】
あるいは、本発明のこのまたは他の態様において、１つまたは複数の監視ストランドおよび／またはコードは、少なくとも２つの監視ストランドおよび／またはコードである。
【００１１】
あるいは、本発明のこのまたは他の態様において、少なくとも２つの監視ストランドおよび／またはコードのうちの２つの監視ストランドおよび／またはコードは、隣接して位置する。
【００１２】
あるいは、本発明のこのまたは他の態様において、ベルトまたはロープは、ベルトであり、少なくとも２つの監視コードのうちの２つの監視コードは、ベルトの中で長手方向に隣接して位置する。
【００１３】
あるいは、本発明のこのまたは他の態様において、１つまたは複数の監視ストランドおよび／またはコードのうちの１つの監視ストランドおよび／またはコードは、１つまたは複数の基準ストランドおよび／またはコードのうちの１つの基準ストランドおよび／またはコードと実質的に同じワイヤ断面積を有する。
【００１４】
本発明の別の態様によれば、エレベータシステムは、エレベータかごと、１つまたは複数のシーブと、摩耗検出ユニットと、複数のストランドおよび／またはコードを構成する複数のワイヤを含む被覆ベルトまたはロープとを含む。複数のストランドおよび／またはコードは、ベルトまたはロープの曲げサイクルの関数として第１の電気抵抗の変化を呈する、１つまたは複数の基準ストランドおよび／またはコード、ならびに、第１の電気抵抗の変化よりも大きい、前記ベルトの曲げサイクルの関数として第２の電気抵抗の変化を呈する、１つまたは複数の監視ストランドおよび／またはコードを含む。ジャケットは、複数のストランドおよび／またはコードを実質的に保持する。ベルトまたはロープは、摩耗検出ユニットに動作可能に接続される。
【００１５】
あるいは、本発明のこのまたは他の態様において、摩耗検出ユニットは、１つまたは複数の監視コードの電気抵抗を測定する。
【００１６】
あるいは、本発明のこのまたは他の態様において、摩耗検出ユニットは、エレベータ昇降路の上端部に配置される。
【００１７】
本発明の別の態様によれば、被覆ベルトまたはロープの摩耗検出の方法は、摩耗検出ユニットを被覆ベルトまたはロープの１つまたは複数の監視ストランドおよび／またはコードに接続することを含む。被覆ベルトまたはロープは、ベルトまたはロープの曲げサイクルの関数として第１の電気抵抗の変化を呈する、１つまたは複数の基準ストランドおよび／またはコード、ならびに、第１の電気抵抗の変化よりも大きい、ベルトまたはロープの曲げサイクルの関数として第２の電気抵抗の変化を呈する、１つまたは複数の監視ストランドおよび／またはコードを含む。１つまたは複数の監視ストランドおよび／またはコードの電気抵抗は、摩耗検出ユニットを介して測定される。１つまたは複数の監視ストランドおよび／またはコードの少なくとも測定した電気抵抗を使用して、ベルトまたはロープの摩耗状態が判定される。
【００１８】
あるいは、本発明のこのまたは他の態様において、判定ステップは、１つまたは複数の監視ストランドおよび／またはコードの電気抵抗の変化を判定することを含む。
【００１９】
あるいは、本発明のこのまたは他の態様において、判定ステップは、電気抵抗の増加を判定することを含む。
【００２０】
あるいは、本発明のこのまたは他の態様において、電気抵抗の変化は、閾値と比較され、閾値を超えた場合に処置をとる。
【００２１】
あるいは、本発明のこのまたは他の態様において、処置をとることは、警報を発すること、およびエレベータシステムの動作を停止させること、のうちの１つまたは両方を含む。
【００２２】
あるいは、本発明のこのまたは他の態様において、基準ストランドの少なくとも１つの連続性が監視される。詳細な説明は、図面を参照しながら例として、利点および特徴とともに、本発明を説明する。
【図面の簡単な説明】
【００２３】
【図１Ａ】１：１のローピング配設を有する例示的なエレベータシステムの概略図である。
【図１Ｂ】異なるローピング配設を有する別の例示的なエレベータシステムの概略図である。
【図１Ｃ】片持ち配設を有する別の例示的なエレベータシステムの概略図である。
【図２Ａ】従来技術のエレベータベルトの断面図である。
【図２Ｂ】従来技術のエレベータロープの断面図である。
【図３】エレベータベルト摩耗検出ユニットの概略図である。
【図４】エレベータベルトの実施形態の断面図である。
【図５】エレベータベルトの別の実施形態の断面図である。
【図６】エレベータベルトの別の実施形態の断面図である。
【図７】エレベータベルトの別の実施形態の断面図である。
【図８】基準コードで使用される基準ストランド、およびエレベータベルトのための監視コードで使用される監視ストランドの実施形態の断面図である。
【図９】エレベータベルトのための監視コードで使用される監視ストランド、および図８の基準ストランドの別の実施形態の断面図である。
【発明を実施するための形態】
【００２４】
図１Ａ、１Ｂ、および１Ｃでは、例示的なトラクションエレベータシステム１０の概略図が示される。本発明の理解に必要でないエレベータシステム１０の特徴（ガイドレール、安全装置、その他等）は、本明細書では論じられない。エレベータシステム１０は、１つまたは複数のベルト１６によって昇降路１４の中で動作可能に吊り下げられるかまたは支持される、エレベータかご１２を含む。１つまたは複数のベルト１６は、エレベータシステム１０の種々の構成要素の周囲で経路選定して送られるように、１つまたは複数のシーブ１８と相互作用する。１つまたは複数のベルト１６はまた、釣合錘２２にも接続することができ、該釣合錘は、動作中に、エレベータシステム１０のバランス取りを補助し、トラクションシーブの両側のベルト張力の差を低減させるために使用される。
【００２５】
シーブ１８は、それぞれ直径２０を有し、該直径は、エレベータシステム１０の中の他のシーブ１８の直径と同一であり得るかまたは異なり得る。シーブ１８のうちの少なくとも１つは、駆動シーブであり得る。駆動シーブは、機械５０によって駆動される。機械５０による駆動シーブの運動は、駆動シーブの周囲で経路選定して送られる１つまたは複数のベルト１６を（トラクションを通して）駆動し、運動させ、および／または推進する。
【００２６】
シーブ１８の少なくとも１つは、ダイバータ、デフレクタ、またはアイドラシーブであり得る。ダイバータ、デフレクタ、またはアイドラシーブは、機械５０によって駆動されないが、エレベータシステム１０の種々の構成要素の周囲で１つまたは複数のベルト１６を誘導するのを補助する。さらに、ダイバータ、デフレクタ、またはアイドラシーブ等の１つまたは複数のシーブ１８は、１つまたは複数のベルト１６を中央に保つこと、またはシーブ１８に沿って所望の位置に保つことを援助するために、その回転軸に沿って凸形状または冠部を有し得る。
【００２７】
いくつかの実施形態において、エレベータシステム１０は、エレベータかご１２を吊り下げるおよび／または駆動するために、２つ以上のベルト１６を使用することができる。加えて、エレベータシステム１０は、（図１Ａ、１Ｂ、または１Ｃの例示的なエレベータシステムで示されるように）１つまたは複数のベルト１６の両面が１つまたは複数のシーブ１８に係合するように、または１つまたは複数のベルト１６の片面だけが１つまたは複数のシーブ１８に係合するように、種々の構成を有することができる。
【００２８】
図１Ａは、１つまたは複数のベルト１６が、かご１２および釣合錘２２で終端する、１：１のローピング配設を提供する。図１Ｂおよび１Ｃは、異なるローピング配設を提供する。具体的には、図１Ｂおよび１Ｃは、かご１２および／または釣合錘２２が、１つまたは複数のベルト１６に係合する１つまたは複数のシーブ１８をその上に有することができること、および１つまたは複数のベルト１６を、どこかで、一般的には昇降路１４内（マシンルームレスエレベータシステム等の場合）またはマシンルーム内（マシンルームを利用するエレベータシステムの場合）の構造で終端させることができることを示す。配設の中で使用されるシーブ１８の数は、特定のローピング比率（例えば、図１Ｂおよび１Ｃで示される２：１のローピング比率、または異なる比率）を決定する。図１Ｃはまた、片持ちタイプのエレベータも提供する。本発明は、図１Ａ、１Ｂ、および１Ｃで示される例示的なタイプ以外のエレベータシステムに使用することができる。
【００２９】
図２Ａは、従来技術のベルト構造または設計の概略図を提供する。各ベルト１６は、ジャケット２６の中に設けられた（例えば、１つまたは複数のストランドおよび／またはコード２４に撚られた）複数のワイヤで構築される。図２で示されるように、ベルト１６は、１よりも大きいアスペクト比を有する（すなわち、ベルト幅は、ベルト厚さよりも大きい）。ベルト１６は、低い曲げ応力を提供し、ベルトの寿命要件を満たし、また、滑らかな動作を有するために、１つまたは複数のシーブ１８を通過するときに十分な柔軟性を有する一方で、エレベータかご１２を吊り下げるおよび／または駆動するための強度要件を満たすことができるように十分に強固であるように構築される。ジャケット２６は、単一の材料、複数の材料、同じまたは異なる材料を使用した２つ以上の層、および／または膜を含む、任意の好適な材料であり得る。１つの構成において、ジャケット２６は、例えば押出または金型ホイールプロセスを使用して、コード２４に塗布されるエラストマー等のポリマーであり得る。別の構成において、ジャケット２６は、コード２４に係合および／または一体化する、編組織物であり得る。追加的な構成として、ジャケット２６は、上で言及される変形例の１つまたは複数の組み合わせであり得る。
【００３０】
ジャケット２６は、コード２４をその中で実質的に保持することができる。「実質的に保持する」という句は、機械５０からジャケット２６を通してコード２４にトルクを伝達して、エレベータかご１２の運動を駆動するために、ジャケット２６が、コード２４との十分な係合を有することを意味する。ジャケット２６は、（図２Ａに示されるように）コード２４を完全に包み込むか、コード２４を実質的に包み込むか、またはコード２４を少なくとも部分的に包み込むことができる。
【００３１】
図３を参照すると、摩耗検出ユニット５２は、ベルト１６の１つまたは複数のコード２４に電気的に接続される。摩耗検出ユニット５２は、ベルト１６の終端部分、例えば昇降路１４の上端部に位置するベルト１６の端部に接続される。しかしながら、この場所は、例示的なものに過ぎず、摩耗検出ユニット５２をベルト１６に接続するための他の場所が本範囲内で企図されることを認識されたい。動作中に、電流は、コード２４を通して印加される。結果として生じる電圧は、コード２４の電気抵抗の決定を可能にする。この測定抵抗は、コードの初期抵抗と比較される。コード２４の電気抵抗の変化、一般的に、抵抗の増加は、コード２４の摩耗を示す。抵抗の変化は、閾値変化値と比較され、閾値変化値を超えたときに、エレベータシステム１０によって処置がとられ得、該処置としては、警報を発する、またはエレベータシステム１０の動作を停止させることが挙げられるが、それらに限定されない。
【００３２】
上述したように、いくつかのベルト１６において、コード２４の抵抗の変化の大きさは、ベルト１６の曲げサイクルの関数として有意ではない。摩耗検出ユニット５２を介して、これらのベルト１６の評価をより効果的に行うために、ベルト１６は、基準コード２４ｂとは異なる構造を有する１本以上のコード２４ａで構成される。以下「監視コード」２４ａと称される、コード２４ａは、監視コード２４ａの電気抵抗の変化が、ベルト１６の曲げサイクルの関数として、基準コード２４ｂの抵抗の変化よりも大幅に大きくなるように構築される。監視コード２４ａおよび基準コード２４ｂはどちらも、荷重担持コードであり得る。換言すれば、監視コード２４ａも基準コード２４ｂも、犠牲コードであることを意図しない。
【００３３】
摩耗の検出および評価は、監視コード２４ａに対して行われ、総じて、監視コード２４ａとベルト１６との間の抵抗の変化で決定される相関を伴う。任意の数の監視コード２４ａがベルト１６に含まれ得、例示的なベルト１６の構成を図４〜図７で示す。図４〜図７において、ベルト１６は、ベルト１６の中の様々な場所に可変数の監視コード２４ａを有する、１０本コードのベルト１６である。１０本コードのベルト１６が示されるが、例えば６本、８本、１２本コード等の他の数のコードを有するベルト１６が、本明細書で開示される主題の実現例で利用され得ることを認識されたい。図４において、ベルト１６は、ベルト１６の中の長手方向外側場所６０に位置する２本の監視コード２４ａを含み、残りのコードは、基準コード２４ｂで構成される。図５を参照すると、監視コード２４ａは、長手方向外側位置の内側に位置し得るが、図６において、監視コード２４ａは、ベルト１６の１つの長手方向端部６０で隣接位置に位置し得る。以下、図７を参照すると、監視コード２４ａは、ベルトの中で長手方向中央位置６２に位置し得る。本明細書で図示および説明される構成は、例示的なものに過ぎないこと、および本開示によって他のベルト１６の構成が企図されることを認識されたい。
【００３４】
監視コード２４ａは、様々な方法で基準コード２４ｂに比べて抵抗のより大きな変化を達成し得る。図８を参照すると、例えば、基準コード２４ｂは、７×７コードであり得、７本のストランド５４ｂがそれぞれ７本のワイヤ５５ｂを含む。一例として、直径０．３０ｍｍおよび０．３４ｍｍのワイヤ５５ｂは、直径２．９５ｍｍのコード２４ｂを形成する、０．９４ｍｍのストランド５４ｂを形成する。同じベルト１６の監視コード２４ａは、より小さい直径のワイヤ５５ａから形成され得、ベルト１６の曲げサイクル１つあたり、より高い抵抗の変化を呈する。基準コード２４ｂの破壊強度に等しい破壊強度（例えば、破壊強度の約−２５％〜＋１０％）を達成するために、監視コード２４ａは、７×１９コードであり得、（例えば、１＋６＋１２本の構成で）７本のストランド５４ａがそれぞれ１９本のワイヤ５５ａを含む。一例として、０．２０ｍｍのワイヤ５５ａは、直径３．０ｍｍのコード２４ａを形成する、１．０ｍｍのストランド５４ａを形成する。別の可能な変形例として、図９で示されるように、監視コード２４ａは、７×１２コードであり得、（例えば、３＋９本の構成で）７本のストランド５４ａがそれぞれ１２本のワイヤ５５ａを含む。一例として、０．２４５ｍｍのワイヤ５５ａは、直径２．９４ｍｍのコード２４ａを形成する、０．９８ｍｍのストランド５４ａを形成する。そのような構成において、監視コード２４ａは、基準コード２４ｂと実質的に同じワイヤ５５ａの断面積を含み得る。他の実施形態において、監視コード２４ａの断面積は、基準コード２４ｂの断面積の約±１０％の範囲内であり得る。監視コード２４ａがコード１本あたり基準コード２４ｂよりも多いワイヤ、例えばコード１本あたり５０％以上多いワイヤを有する場合等の他の構成が、本開示の範囲内で企図される。したがって、監視コード２４ａの破壊強度は、基準コード２４ｂの破壊強度に実質的に同等である一方で、ベルト１６の曲げサイクル１つ当たり、より大きい抵抗の変化を有する。
【００３５】
上の説明は、基準コード２４ｂではなく、摩耗について監視コード２４ａの抵抗の監視を論じているが、それでも、基準コード２４ｂの何らかの監視も起こり得ることが、本発明の範囲内である。例えば、基準コード２４ｂは、（例えば、コードの破損が起こったかどうかを判定するために）連続性を監視することができる。
【００３６】
あるいは、ここで図２Ｂを参照すると、エレベータかご１２は、複数のストランド５４および／またはコード２４に形成される複数のワイヤ５５から形成される１つまたは複数の被覆ロープ４２によって昇降路１４の中で、吊り下げられ得るか、または支持され得る。ワイヤ５５、ストランド５４、またはコード２４は、小さく撚られ、安定しており、そしていくつかの実施形態では、実質的に円形状で、ジャケット２６で被覆される。いくつかの実施形態において、ロープ４２を形成する前に、個々のストランド５４および／またはコード２４は、それぞれ、ストランドジャケット６０および／またはコードジャケット６２で被覆され得る。上で説明されるベルト１６に類似して、ロープ４２は、監視ストランド５４ａおよび基準ストランド５４ｂをコード２４の１つまたは複数の中に含み、監視は、上で説明される監視と実質的に同じような様式で行われ得る。
【００３７】
動作中に、電流は、ロープ４２内の監視ストランド５４ａを通して印加される。結果として生じる電圧は、監視ストランド５４ａの電気抵抗の決定を可能にする。この測定抵抗は、監視ストランド５４ａの初期抵抗と比較される。監視ストランド５４ａの電気抵抗の変化、一般的に、抵抗の増加は、監視ストランド５４ａ内のワイヤ５５ａの摩耗を示す。抵抗の変化は、閾値変化値と比較され、閾値変化値を超えたときに、エレベータシステム１０によって処置がとられ得、該処置としては、警報を発する、またはエレベータシステム１０の動作を停止させることが挙げられるが、それらに限定されない。
【００３８】
本発明を限られた数の実施形態に関連して詳細に説明してきたが、本発明がそのような開示される実施形態に限定されないことは、容易に理解されるであろう。むしろ、本発明は、これまで説明していないが、本発明の趣旨および範囲に相応する、任意の数の変形物、変更物、置換物、または等価な構成を組み込むように修正することができる。加えて、本発明の種々の実施形態を説明してきたが、本発明の態様は、説明される実施形態の一部だけしか含まない場合があることを理解されたい。故に、本発明は、上の説明によって限定されるものとしてみなされるべきでなく、添付の特許請求の範囲によってだけ限定される。
【図１Ａ】
0005909291.tif 000002
【図１Ｂ】
0005909291.tif 000003
【図１Ｃ】
0005909291.tif 000004
【図２Ａ】
0005909291.tif 000005
【図２Ｂ】
0005909291.tif 000006
【図３】
0005909291.tif 000007
【図４】
0005909291.tif 000008
【図５】
0005909291.tif 000009
【図６】
0005909291.tif 000010
【図７】
0005909291.tif 000011
【図８】
0005909291.tif 000012
【図９】
0005909291.tif 000013